【事件の表示】
　平成　１年特許願第　４２５７９号「画像伝送端末装置」拒絶査定に対する審判事件［平成　２年　９月　５日出願公開、特開平　２−２２２２９０］について、次のとおり審決する。
【結　論】
　本件審判の請求は、成り立たない。
【理　由】
　１　本件発明
　本願は、平成１年２月２２日の出願であって、その発明は、補正された明細書及び図面の記載からみて、特許請求の範囲（請求項の数１）に記載された次に掲げるとおりのものである。
　【本件発明】
　自動着信可能な画像伝送端末装置において、
　通信コマンドが入力されたことを検出する通信制御装置と、
　上記通信制御装置によって上記通信コマンドが検出されたときに自動的に電源が投入され、受信された画像データをその画像のアドレス情報と共に記憶手段に記憶させ、上記画像データの通信が終了したのちに自動的に電源オフとなる制御手段と、
　上記記憶手段から読み出された上記画像を表示またはプリントアウトする表示手段とを備え、
　上記制御手段は、上記自動着信後の起動操作が行われたときに上記記憶手段に記憶されている複数の画像データを上記記憶手段から読み出し、該読み出された複数の画像データを上記記憶手段に記憶されている上記画像データの数に応じた画像数からなるマルチ画面として上記表示手段に同時に表示またはプリントアウトさせるようになされていることを特徴とする画像伝送端末装置
　
　２　刊行物１ないし４の発明
　これに対して、当審の拒絶理由に引用された、本願の出願の日前の昭和６４年１月２６日に頒布された特開昭６４−２４６８８公報には、次に掲げる(１)ないし(８)の事項からなる留守番電話装置（以下「刊行物１の発明」という。）が記載されている。
　【刊行物１の発明】
　(１)留守番電話装置に関し、特に、音声だけでなく描画情報を送受信出来、留守番時に受信した描画情報の検索に好適な留守番電話装置（２頁右上欄１６行ないし１８行）
　(２)受信した複数の描画情報の内容を迅速に把握でき、所望の情報を効率良く逸早く得ることのできる留守番電話装置（２頁右下欄１３行ないし１５行）
　(３)電話回線４８を通して音声と描画情報を多重化して送受信するための音声描画多重化回路７と、送受信する描画データを符号・復号化するゾーン符号復号回路８と、受信した描画データからインデックスを切り出すインデックス切り出し回路９と、利用者の不在時に受信したデータのインデックスを記録しておくメモリ１０と、時計回路３５と、印字装置４２と、電話機４３と、受信した描画データと音声を記録するカセットテープレコーダ５７と、より構成される。（３頁右上欄下から２行ないし同頁左下欄９行）
　(４)受信したメッセージが何番目に受信したものであるかを、受信メッセージ番号として格納し、符号化してメモリ１０に格納したインデックスデータのアドレスをインデックスポインタに格納し、音声と描画情報を記録したカセットテープ上での場所を登録データポインタに格納し、受信した時間を時計回路３５から読み出し受信時間バッファに格納する。（６頁左上欄１行ないし８行）
　(５)第５図において、インデックス表示エリア３６は、インデックス（受信したメッセージの最初の部分）が表示される領域であり、また、時間表示エリア３７は第４図（ａ）に示した受信時間バッファに格納された受信時間が表示される部分である。更にまた、表示すべきインデックスの数が、この一画面に表示出来る以上ある場合には、表示エリア３８、３９に“前頁”、“後頁”と表示される。（６頁右上欄下から４行ないし同頁左下欄７行）
　(６)第７図に示す留守番電話装置は、マイクロコンピュータ（ＣＰＵ）１と、プログラムや変数用メモリ２と、液晶表示装置３と、座標入力装置４と、表示ＲＡＭ５と、表示制御回路６と、モデム４０と、インデックス切り出し回路９と、符号復号回路４１と、メモリ１０と、時計回路３５と、印字装置４２と、電話機４３と、で構成される。（７頁左上欄５行ないし１１行）
　(７)留守番モードで受信した情報は印字を行わないで記憶しておき、利用者が必要なときに必要な情報を取り出せるようにする。電話回線４８を介して呼信号が、モデム４０内の電話回路（図示せず）に入力されると、ＣＰＵ１は、これを検出して電話回線内のフックスイッチ（図示せず）をオフフック状態とし、回線を接続する。（７頁右上欄５行ないし１３行）
　(８)インデックスを複数個、同時に表示手段に表示することにより、利用者は受信した複数の描画情報の内容を迅速に把握することができ、また、利用者が必要とする情報をその表示を見ながら指示すれば、即座に全体の情報が表示されるので、所望の情報を効率良く逸早く得ることができる。（８頁右下欄下から４行ないし９頁左上欄３行）
　
　同じく当審の拒絶査定に記載された、本願の出願の日前の昭和６３年９月１６日に頒布された特開昭６３−２２２５４３号公報には、次に掲げる回線接続端末の電源制御装置（以下「刊行物２の発明」という。）が記載されている。
　【刊行物２の発明】
　電源制御装置は、該端末に接続されているモデムのＣＩ信号を検出し、これを所定時間内に設定回数の前記ＩＣ信号が検出されると、該端末の電源を投入し、予め端末にセットされている集信／配信プログラムを自動的に起動させてホストとのデータの送受信処理を行なう。そして該データの配信／集信処理が完了すると、前記端末は送受信可能信号（ＥＲ 信号）をオフにし、該電源制御装置はこの信号の検出により端末の電源を切断させる。（２頁右下欄下から２行ないし３頁左上欄７行）
　
　同じく当審の拒絶査定に記載された、本願の出願の日前の昭和６２年１月７日に頒布された実願昭６０−９１５０３号（実開昭６２−１２６６号公報）のマイクロフィルムには、次に掲げる(１)(２)の事項からなるもの（以下「刊行物３の発明」という。）が記載されている。
　【刊行物３の発明】
　(１)通信回線と接続し、他とのデータ伝送を行なうデータ伝送装置に関し、更に詳細には、データ伝送装置の省電力制御に関する。（１頁下から３行ないし末行）
　(２)従来の公衆電話回線に接続されるデータ伝送装置の省電力制御（省電力制御が行なわれている装置の状態は、省電力モード又は、自動着信モードと称される）としては、第４図に示す方式が行なわれている。これは、小容量のサブ電源８１により小規模（ＩＣ数個程度）の網制御回路部８２のみを常に動作させ、ＤＤＸ回線（回線交換網やパケット交換網）電話回線８０を介して伝送された自装置宛の着信（ベル信号）を検出した後主電源８４を投入し、主制御部８３を動作させ、図示しないフロッピーディスク装置（以下、ＦＤＤと称す）からプログラムをローディングして先の着信に対し応答する方式であった。（２頁下から７行ないし３頁６行及び第４図）
　
　同じく当審の拒絶査定に記載された、本願の出願の日前の昭和６３年４月１４日に頒布された特開昭６３−８４２５９号公報には、次に掲げる画像検索装置（以下「刊行物４の発明」という。）が記載されている。
　【刊行物４の発明】
　静止画像データベースから、所定の属性を満足する静止画像データを検索する検索手段と；前記静止画像データを表示する画像表示装置と；前記検索された所定の属性を満足する静止画像データの数に応じて、前記画像表示装置に表示する前記静止画像データの表示する前記静止画像データの表示縮小率を変化させる表示制御手段と；を有することを特徴とする画像検索装置（１頁特許請求の範囲の項及び第３図）
　
　３　刊行物１の発明と本件発明との対比・検討
　そこで、刊行物１の発明における事項と本件発明における事項とを対比・検討すると、次に掲げる(１)から(３)の事項がそれぞれ相当ないしは対応する。
　(１)刊行物１の発明における「モデム４０」は、電話回線４８を介して呼信号が、モデム４０内の電話回路（図示せず）に入力される、すなわち、電話回路で呼信号が検出されるから、本件発明における「通信制御装置２９」に相当する。
　(２)刊行物１の発明における「マイクロコンピュータ（ＣＰＵ）１」は、守番モードで受信した情報は印字を行わないで記憶しておき、利用者が必要なときに必要な情報を取り出せるようにするから、本件発明における「制御手段９」に対応する。
　(３)刊行物１の発明における「液晶表示装置３」は、インデックスを複数個、同時に表示手段に表示することにより、利用者は受信した複数の描画情報の内容を迅速に把握することができ、また、利用者が必要とする情報をその表示を見ながら指示すれば、即座に全体の情報が表示されるので、所望の情報を効率良く逸早く得ることができるから、本件発明における「表示手段２８」に相当する。
　
　４　刊行物１の発明と本件発明との一致点・相違点
　上記３の対比・検討から刊行物1の発明と本件発明とは、次に掲げる点で一致し、下記(１)(２)の点で相違する。
　【一致点】
　自動着信可能な画像伝送端末装置において、
　通信コマンドが入力されたことを検出する通信制御装置と、
　上記通信制御装置によって上記通信コマンドが検出されたときに、受信された画像データをその画像のアドレス情報と共に記憶手段に記憶させ、上記画像データの通信が終了となる制御手段と、
　上記記憶手段から読み出された上記画像を表示する表示手段とを備え、
　上記制御手段は、上記自動着信後の起動操作が行われたときに上記記憶手段に記憶されている複数の画像データを上記記憶手段から読み出し、該読み出された複数の画像データを上記記憶手段に記憶されている上記画像データの数に応じた画像数からなる画面として上記表示手段に同時に表示させるようになされていることを特徴とする画像伝送端末装置
　【相違点】
　(１)上記「制御手段」によって、本件発明においては「自動的に電源が投入され、自動的に電源オフ」とするのに対して、刊行物1の発明においては、電源の投入、電源オフとすることについて記載されていない点
　(２)上記「画面として表示手段に同時に表示させる」ところの「画面」が、本件発明においては「マルチ画面」であるのに対して、刊行物1の発明においては「インデックス画面」である点
　
　５　上記相違点(１)(２)についての検討
　(１)端末装置において、節電のために、自動的に電源をオンオフすることは、上記刊行物２，３の発明において行われているから、刊行物１の発明における「制御手段」に、節電のために「自動的に電源が投入し、自動的に電源オフ」とさせることは、当業者であれば、適宜なし得ることである。
　(２)複数の画像データを「画面」に同時に表示するために、「マルチ画面」として表示することは、刊行物４の発明において行われているから、刊行物１の発明における「インデックス画面」を「マルチ画面」とすることは、当業者であれば、適宜なし得ることである。
　
　６　むすび
　以上のとおりであるから、本件発明は、刊行物１ないし４の発明に基いて、当業者が容易に発明をすることができたものと認められるので、特許法第２９条第２項の規定により特許を受けることができない。
　よって、結論のとおり審決する。